(57)【要約】【課題】  特定の環境下においては、ユーザーがメニュー操作をすることなく、自動的にＦＭワイヤレスによるハンズフリー機能を利用できるハンズフリー携帯電話システムを提供すること。【解決手段】  ハンズフリー機能を有する携帯電話機と当該携帯電話機を着脱可能なホルダを備え、前記携帯電話機は、スイッチのＯＮ／ＯＦＦ機能により、ハンズフリー機能の有効・無効のハンズフリー使用条件設定の情報を検出する条件検出手段と、当該条件検出の有無にしたがってハンズフリー機能の有効・無効の切替え制御を行なうデータ処理手段を有し、前記ホルダは、前記携帯電話機を装着した状態で前記検出手段と近接する位置に設けられ、ハンズフリー使用条件設定を変えることにより前記条件検出手段に対して検出又は非検出の動作を行なわせる条件設定手段を有する。【選択図】  図１
2008252539.tif 000002
【特許請求の範囲】
【請求項１】
ハンズフリー機能を有する携帯電話機と当該携帯電話機を着脱可能なホルダを備えるハンズフリー携帯電話システムにおいて、
前記携帯電話機は、
スイッチのＯＮ／ＯＦＦ機能により、ハンズフリー機能の有効・無効のハンズフリー使用条件設定の情報を検出する条件検出手段と、
当該条件検出の有無にしたがってハンズフリー機能の有効・無効の切替え制御を行なうデータ処理手段を有し、
前記ホルダは、
前記携帯電話機を装着した状態で前記検出手段と近接する位置に設けられ、ハンズフリー使用条件設定を変えることにより前記条件検出手段に対して検出又は非検出の動作を行なわせる条件設定手段
を有することを特徴とするハンズフリー携帯電話システム。
【請求項２】
ハンズフリー機能を有する携帯電話機を備えたハンズフリー携帯電話システムにおいて、
前記携帯電話機は、
スイッチのＯＮ／ＯＦＦ機能により、ハンズフリー機能の有効・無効のハンズフリー使用条件設定の情報を検出する条件検出手段と、
当該条件検出の有無にしたがってハンズフリー機能の有効・無効の切替え制御を行なうデータ処理手段を有し、
前記携帯電話機に形成された嵌合部に装着可能な形状を有し、前記嵌合部に嵌合した状態で前記検出手段と近接する位置に設けられ、ハンズフリー使用条件設定を変えることにより前記条件検出手段に対して検出又は非検出の動作を行なわせる条件設定手段を有することを特徴とするハンズフリー携帯電話システム。
【請求項３】
前記条件設定手段はマグネットのはめ込み／取り外しが可能な構造であり、前記条件検出手段は前記マグネットの磁力の有無によってＯＮ／ＯＦＦ動作する磁気センサーであり、当該磁気センサーによって前記ハンズフリー使用条件設定の情報が検出されることを特徴とする請求項１又は２記載のハンズフリー携帯電話システム。
【請求項４】
前記条件設定手段は前記マグネットをはめ込むための少なくとも２つの条件設定凹部からなり、前記各条件設定凹部におけるマグネットの有無の組み合わせとＦＭワイヤレスによるハンズフリー機能のＯＮ／ＯＦＦ及び出力周波数の組み合わせからなるＦＭワイヤレス機能設定データをあらかじめ記憶する記憶装置を有することを特徴とする請求項３記載のハンズフリー携帯電話システム。
【請求項５】
前記データ処理装置は、前記条件検出手段で検出されたハンズフリー使用条件データに基づき、前記記憶装置に保存されているＦＭワイヤレス機能設定データを検索し、検索されたＦＭワイヤレス機能設定データに基づいてＦＭワイヤレスによるハンズフリー機能を有効／無効とし、ハンズフリー機能を有効とした場合には検出された出力周波数で設定を行い、
前記携帯電話機を前記ホルダに設置した状態で通話状態になると、通話音声はＦＭワイヤレスモジュールを介して出力される
ことを特徴とする請求項４記載のハンズフリー携帯電話システム。
【請求項６】
前記磁気センサーはスイッチング素子であることを特徴とする請求項５記載のハンズフリー携帯電話システム。
【請求項７】
ハンズフリー機能を有する携帯電話機と当該携帯電話機を着脱可能なホルダを備えるハンズフリー携帯電話システムにおける携帯電話機出力制御方法において、
前記ホルダ内の条件設定手段が、ハンズフリー機能の有効／無効設定に関するハンズフリー使用条件設定を変えることによりハンズフリー使用条件設定の情報を送出するステップと、
前記携帯電話機内の条件検出手段が、前記ハンズフリー使用条件設定の情報をスイッチのＯＮ／ＯＦＦ機能により検出するステップと、
前記検出されたハンズフリー使用条件設定の情報にしたがってハンズフリー機能の有効・無効の切替え制御を行なうステップ
を有することを特徴とする携帯電話機出力制御方法。
【請求項８】
ハンズフリー機能を有する携帯電話機を備えたハンズフリー携帯電話システムにおける携帯電話機出力制御方法において、
前記携帯電話機に装着可能な条件設定手段が、ハンズフリー機能の有効／無効設定に関するハンズフリー使用条件設定を変えることによりハンズフリー使用条件設定の情報を送出するステップと、
前記携帯電話機内の条件検出手段が、前記ハンズフリー使用条件設定の情報をスイッチのＯＮ／ＯＦＦ機能により検出するステップと、
前記検出されたハンズフリー使用条件設定の情報にしたがってハンズフリー機能の有効・無効の切替え制御を行なうステップ
を有することを特徴とする携帯電話機出力制御方法。
【請求項９】
前期条件設定手段を構成するマグネットのはめ込み／取り外しにより前記条件設定を変更し、前記条件検出手段を構成する、前記マグネットの磁力の有無によってＯＮ／ＯＦＦ動作する磁気センサーが前記ハンズフリー使用条件設定の情報を検出することを特徴とする請求項７又は８記載の携帯電話機出力制御方法。
【請求項１０】
前記条件設定手段を構成するマグネットをはめ込むための少なくとも２つの条件設定凹部におけるマグネットの有無の組み合わせとＦＭワイヤレスによるハンズフリー機能のＯＮ／ＯＦＦ及び出力周波数の組み合わせとからなるＦＭワイヤレス機能設定データをあらかじめ記憶装置に記憶することを特徴とする請求項９記載の携帯電話機出力制御方法。
【請求項１１】
前記条件検出手段で検出されたハンズフリー使用条件データに基づき、前記記憶装置に保存されているＦＭワイヤレス機能設定データを検索するステップと、
検索されたＦＭワイヤレス機能設定データに基づいてＦＭワイヤレスによるハンズフリー機能を有効／無効とし、ハンズフリー機能を有効とした場合には検出された出力周波数で設定を行うステップと、
前記携帯電話機を前記ホルダに設置した状態で通話状態になると、通話音声を、ＦＭワイヤレスモジュールを介して出力するステップ
を有することを特徴とする請求項１０記載の携帯電話機出力制御方法。
【発明の詳細な説明】
【技術分野】
【０００１】
本発明は、ユーザーがメニュー操作をすることなく、自動的にＦＭワイヤレスによるハンズフリー機能を利用することができるハンズフリー携帯電話システム及び携帯電話機出力制御方法に関する。
【背景技術】
【０００２】
従来の携帯電話においても、ＦＭワイヤレス機能を利用する方法として、外付けアダプターを取り付ける方法や、ＦＭワイヤレス機能を内蔵し、ユーザーによるメニュー操作によって実現するものがあった。
【０００３】
例えば、以下の特許文献１には、外付けアダプターを接続することによるＦＭワイヤレス機能を実現する技術が紹介されている。具体的には、ハンズフリーマイクロホンコードの一方を携帯電話に接続しその一方をワイヤレス音楽プレイヤー及びＦＭ送信機能を有した装置に接続した構成である。携帯電話が受信した音声をワイヤレス音楽プレイヤー及びＦＭ送信機能を有した装置によりその音声をカーラジオに送信してスピーカから携帯電話の音声を出力し電話の送信先とハンズフリーで通話を行うというものである。
【０００４】
【特許文献１】特開２００６−３０４２４５
【発明の開示】
【発明が解決しようとする課題】
【０００５】
しかしながら、従来の外付けアダプターによる実現においては、アダプターを接続すれば、即使用することができるが、アダプターを準備していない環境下では機能を実現することができないという課題があった。
【０００６】
また、従来の内蔵型による機能の実現においては、アダプターを持ち歩く必要がなく、いつでもその機能を利用することができるという利点があるが、常に同じ設定で使用できる特定の環境下であっても、機能を有効にするためには、ユーザーによるメニュー操作が必要であるという課題があった。
【０００７】
ＦＭワイヤレス機能を有する(内蔵する)携帯電話において、車へ搭乗した際にＦＭワイヤレスによるハンズフリー機能を有効にしようとした場合、ユーザー自身がメニュー操作により切り替え作業を実施する必要があった。また、ＦＭワイヤレス機能を有しない(内蔵しない)携帯電話の場合は、ＦＭワイヤレスモジュールを接続すればハンズフリー機能を実現することができるが、ＦＭワイヤレスモジュールを忘れた場合、その機能すら実現することができなかった。
【０００８】
本発明の目的は、特定の環境下においては、ユーザーがメニュー操作をすることなく、自動的にＦＭワイヤレスによるハンズフリー機能を利用することができるハンズフリー携帯電話システム及び携帯電話機出力制御方法を提供することにある。
【課題を解決するための手段】
【０００９】
上記課題を解決するために、本発明は、以下の特徴を有する課題を解決するための手段を採用している。
【００１０】
本発明の第１の態様に係るハンズフリー携帯電話システムは、ハンズフリー機能を有する携帯電話機と当該携帯電話機を着脱可能なホルダを備えるハンズフリー携帯電話システムであって、
前記携帯電話機が、スイッチのＯＮ／ＯＦＦ機能により、ハンズフリー機能の有効・無効のハンズフリー使用条件設定の情報を検出する条件検出手段と、当該条件検出の有無にしたがってハンズフリー機能の有効・無効の切替え制御を行なうデータ処理手段を有し、
前記ホルダが、前記携帯電話機を装着した状態で前記検出手段と近接する位置に設けられ、ハンズフリー使用条件設定を変えることにより前記条件検出手段に対して検出又は非検出の動作を行なわせる条件設定手段を有することを特徴とする。
【００１１】
本発明の第２の態様に係る携帯電話機出力制御方法は、ハンズフリー機能を有する携帯電話機と当該携帯電話機を着脱可能なホルダを備えるハンズフリー携帯電話システムにおける携帯電話機出力制御方法であって、
前記ホルダ内の条件設定手段が、ハンズフリー機能の有効／無効設定に関するハンズフリー使用条件設定を変えることによりハンズフリー使用条件設定の情報を送出するステップと、前記携帯電話機内の条件検出手段が、前記ハンズフリー使用条件設定の情報をスイッチのＯＮ／ＯＦＦ機能により検出するステップと、前記検出されたハンズフリー使用条件設定の情報にしたがってハンズフリー機能の有効・無効の切替え制御を行なうステップを有することを特徴とする。
【発明の効果】
【００１２】
以上説明したように、本発明においては、以下に記載するような効果を有する。
【００１３】
第１の効果は、使用条件を検出する複数のセンサーとそれを有効とさせるための設定機能を有しているので、移動機本体の設定を変更することなく、使用条件によってハンズフリー機能の有効無効を任意に切り替えられることが可能なことある。
【００１４】
第２の効果は、条件設定を記憶するための記憶装置を有しているので、ユーザーが使用条件に対応したＦＭ周波数等を任意に定義することができることにある。
【発明を実施するための最良の形態】
【００１５】
次に、本発明の一実施の形態について図面を参照して詳細に説明する。
【００１６】
図１に示されるように、本発明に係るハンズフリー携帯電話システムは、ホルダＢに構成されている使用条件設定手段としての条件設定手段５と、携帯電話Ａに条件を入力する手段としての条件検出手段３と、プログラム制御により動作するデータ処理装置１と、ＦＭワイヤレス機能の設定を記憶する記憶装置２と、ＦＭワイヤレス機能を実現するための出力制御部４と無線部６を含む。
【００１７】
条件設定手段５は、複数の条件を設定するための条件設定部５１と条件設定部５２を備えている。条件検出手段３は、条件設定手段５からの入力情報を検出するためのセンサーとして条件検出部３１と条件検出部３２を備えている。
【００１８】
記憶装置２は、ユーザーの設定条件を記憶するための設定記憶部２１を備えている。出力制御部４は、外部出力手段として、ＦＭワイヤレスモジュール４１とスピーカ４２を備えている。無線装置６は、無線部６１とアンテナ６２から構成されるが、本発明とは直接関係しないので、その詳細な構成は省略する。
【００１９】
次に図１、図２および図３を参照して本実施の形態の動作について詳細に説明する。条件検出手段３はセンサーであり、条件設定手段５の条件を検出できる素子で構成されている。本実施例では、条件検出部３１および条件検出部３２は、ホール素子で構成され、移動機Ａの背面側に実装されている。
【００２０】
条件設定手段５は、条件検出手段３を機能させるための部品で構成されている。本実施例では、条件検出手段３がホール素子で構成されているため、条件設定部５１および条件設定部５２はマグネットを保持できるような構造となっている。また、条件設定手段５は、携帯電話本体ではなく、携帯電話を固定するためのホルダＢに構成されている。
【００２１】
なお、条件検出手段３および条件設定手段５の構成例としては、メカニカルスイッチおよびスイッチを押下する突起の組み合わせであってもよい。
【００２２】
条件検出手段３からの信号は、データ処理装置１に入力される。ここに入力される信号はホール素子のＯＮ/ＯＦＦ情報となる。
【００２３】
データ処理装置１は、入力された条件検出手段３の信号の組み合わせにより、設定記憶部２１のデータを基にＦＭワイヤレス機能の設定を検索する。例えば、設定記憶部２１に記憶されている情報とは、条件検出部３１がＯＦＦの場合にはＦＭワイヤレスによるハンズフリー機能のＯＦＦ設定であり、条件検出部３１がＯＮの場にはＦＭワイヤレスによるハンズフリー機能のＯＮ設定である。
【００２４】
設定記憶部２１に記憶されている情報はプログラム固有の設定であっても、ユーザーが任意に設定変更できるような情報であってもよい。データ処理装置１は、検索されたＦＭワイヤレス機能の設定を基に出力制御部４を制御する。
【００２５】
次に上記した動作についてより具体例に説明する。本実施の形態では、ホルダＢに構成されている条件設定部５１にはマグネットがはめ込まれており、条件設定部５２にはマグネットがはめ込まれていない。また、ホルダＢは車内に設置されているものとする。
【００２６】
設定記憶部２１には、条件検出部３１がＯＮを検出時にはＦＭワイヤレスモジュール４１によるハンズフリー機能を有効とし、条件検出部３２のＯＮ/ＯＦＦにより、ＦＭワイヤレスモジュールの出力周波数が記憶されているものとする。
【００２７】
移動機ＡをホルダＢに設置した場合、条件設定部５１はマグネットがはめ込まれた状態であるため、条件検出部３１のホール素子はＯＮ状態となる。一方、条件設定部５２にはマグネットははめ込まれていないので条件検出部３２のホール素子はＯＦＦ状態となる。
【００２８】
条件設定手段５の情報は、条件検出手段３を通じてデータ処理装置１へと入力される。データ処理装置１は、記憶装置２内にある設定記憶部２１から報知手段を検索する。結果、ＦＭワイヤレスによるハンズフリー機能は有効となり、設定周波数は７６MHzという設定を得る。
【００２９】
この状態で(移動機ＡをホルダＢに設置した状態で)移動機Ａが通話状態になると、音声はＦＭワイヤレスモジュールを通じて出力され、車のＦＭチューナーを介して車のスピーカから音声が出力される。
【００３０】
なお、複数台の車を有しているユーザー等は、条件設定部３２の設定により周波数を切り替えることで、車のオーディオ設備にあわせた設定を実現することができる。
【００３１】
以下、本発明の他の実施の形態について説明する。その基本的構成は上記と同様であるが、条件検出手段３と条件設定手段５について構成を変更したものである。その構成を図４に示す。図４において、使用条件入力装置としてホルダＢから棒状のスティックＤへと変更している。ここで、スティックＤは移動機Ｃに形成されている嵌合部に嵌めこみ可能な形状であり、本実施の形態ではスティックＤは棒状であるので前記嵌合部はスティックＤを受け入れる凹部形状（一端のみ開口している貫通穴）である。
【００３２】
図４、図５および図６を参照して詳細に説明する。本実施の形態では、スティックＤに形成されている溝にマグネットを挿入することで、使用条件を設定する構成とする。移動機Ｃの条件検出部３３および条件検出部３４はマグネットの磁力を検出するためのホール素子で構成される。
【００３３】
本実施の形態では、スティックＤに溝として構成されている条件設定部５３および条件設定部５４にはマグネットが挿入されているものとする。
【００３４】
設定記憶部２２には、条件検出部３３がＯＮかつ条件検出部３４がＯＮの場合に、ＦＭワイヤレスモジュールから周波数７８MHzにて出力するように定義されているものとする。
【００３５】
スティックＤを移動機Ｃに挿入した場合、条件設定部５３および条件設定部５４に挿入されているマグネットにより、条件検出部３３および条件検出部３４のホール素子がＯＮ状態となる。
【００３６】
条件設定手段５の情報は、条件検出手段３を通じてデータ処理装置１へと入力される。データ処理装置１は、記憶装置２内にある設定記憶部２２から出力手段を検索する。結果、ＦＭワイヤレスモジュールから周波数７８MHzにてハンズフリー出力するという設定を得る。
【００３７】
この状態で(スティックＤが移動機Ｃに挿入された状態で)移動機Ｃが通話状態になると、音声はＦＭワイヤレスモジュールを通じて出力され、車のＦＭチューナーを介して車のスピーカから音声が出力される。
【００３８】
なお、上記した各実施の形態は、本発明を好適に実施した一形態に過ぎず、本発明は、その主旨を逸脱しない限り、種々変形して実施することが可能なものである。
【図面の簡単な説明】
【００３９】
【図１】本発明の一実施の形態に係るハンズフリー携帯電話システムの構成を示したブロック図である。
【図２】本発明の一実施の形態に係るハンズフリー携帯電話システムの構造を示した図である。
【図３】本発明の一実施の形態に係るハンズフリー携帯電話システムにおける条件検出部３１，３２のＯＮ／ＯＦＦの組み合わせとＦＭワイヤレス機能設定及び出力周波数の組み合わせの一例を示した図である。
【図４】本発明の他の実施の形態に係るハンズフリー携帯電話システムの構成を示したブロック図である。
【図５】本発明の他の実施の形態に係るハンズフリー携帯電話システムの構造を示した図である。
【図６】本発明の他の実施の形態に係るハンズフリー携帯電話システムにおける条件検出部３１，３２のＯＮ／ＯＦＦの組み合わせとＦＭワイヤレス機能設定及び出力周波数の組み合わせの一例を示した図である。
【符号の説明】
【００４０】
１    データ処理装置
２    記憶装置
３    条件検出手段
４    出力制御部
５    条件設定手段
６    無線装置
２１，２２    設定記憶部
３１，３２，３３，３４    条件検出部
４１    ＦＭワイヤレスモジュール
４２    スピーカ
５１，５２，５３，５４    条件設定部
【図１】
2008252539.tif 000003
【図２】
2008252539.tif 000004
【図３】
2008252539.tif 000005
【図４】
2008252539.tif 000006
【図５】
2008252539.tif 000007
【図６】
2008252539.tif 000008